(57)【要約】  ケーブルコンジット（１０）は、少なくとも１本のケーブル（１８）と、ケーブル（１８）を内部空間（１６）に収容するチューブ（１２）と、チューブ（１２）の内部空間（１６）内の環境条件を検知するためのセンサ（２０）とを備える。
2022500982.tif 000002
【特許請求の範囲】
【請求項１】
少なくとも１本のケーブル（１８）と、
前記ケーブル（１８）を内部空間（１６）に収容するチューブ（１２）と、
前記内部空間（１６）内の環境条件を検知するためのセンサ（２０）と、
前記内部空間（１６）内の前記環境条件を、前記チューブ（１２）の内部の雰囲気を能動的に制御することによって変更するためのアクチュエータ（３４）とを備える、ケーブルコンジット（１０）。
【請求項２】
前記センサ（２０）から測定値を受信するため、かつ、前記アクチュエータ（３４）に制御コマンドを送信するための、制御装置（２４）をさらに備える、請求項１に記載のケーブルコンジット（１０）。
【請求項３】
前記ケーブル（１８）は電力線である、請求項１または２に記載のケーブルコンジット（１０）。
【請求項４】
前記センサ（２０）は、前記ケーブル（１８）を介して測定値を送信するための電力線送信装置（３６）を含み、
前記アクチュエータ（３４）は、前記ケーブル（１８）を介して制御コマンドを受信するための電力線送信装置（３６）を含む、先行する請求項のいずれか１項に記載のケーブルコンジット（１０）。
【請求項５】
前記センサ（２０）は、測定値を送信するための無線送信機（２２）を含み、
前記アクチュエータ（３４）は、制御コマンドを受信するための無線受信機（２２）を含む、先行する請求項のいずれか１項に記載のケーブルコンジット（１０）。
【請求項６】
前記センサ（２０）に電気エネルギを供給するためのエネルギ収集装置（３０）をさらに備え、および／または
前記センサ（２０）は、電気エネルギを前記センサ（２０）に供給するためおよび／または測定値を送信するためのＲＦＩＤタグを含む、先行する請求項のいずれか１項に記載のケーブルコンジット（１０）。
【請求項７】
前記センサ（２０）には、前記チューブ（１２）に収容されたワイヤ（２６）から電気エネルギが供給される、先行する請求項のいずれか１項に記載のケーブルコンジット（１０）。
【請求項８】
前記センサ（２０）には、前記ケーブル（１８）から電気エネルギが供給される、先行する請求項のいずれか１項に記載のケーブルコンジット（１０）。
【請求項９】
前記チューブ（１２）の端部に装着された取付具（１４）をさらに備え、
前記アクチュエータ（３４）は前記取付具（１４）に搭載される、先行する請求項のいずれか１項に記載のケーブルコンジット（１０）。
【請求項１０】
前記チューブ（１２）と相互接続されたＴ接続（３８）をさらに備え、前記ケーブル（１８）は前記Ｔ接続（３８）を通して導かれ、
前記アクチュエータ（３４）は前記Ｔ接続（３８）に搭載される、先行する請求項のいずれか１項に記載のケーブルコンジット（１０）。
【請求項１１】
前記アクチュエータ（３４）は前記チューブ（１０）に直接搭載される、先行する請求項のいずれか１項に記載のケーブルコンジット（１０）。
【請求項１２】
前記センサ（２０）は、
温度センサ、
湿度センサ
のうちの少なくとも１つである、先行する請求項のいずれか１項に記載のケーブルコンジット（１０）。
【請求項１３】
前記アクチュエータ（３４）は、
通風機、
加熱器、
冷却器、
フラップ
のうちの少なくとも１つである、先行する請求項のいずれか１項に記載のケーブルコンジット（１０）。
【請求項１４】
先行する請求項のいずれか１項に記載のケーブルコンジット（１０）における環境条件を前記チューブの内部の雰囲気を能動的に制御することによって適合させる方法であって、前記方法は、
前記内部空間（１６）内の環境条件を前記センサ（２０）を用いて検知するステップと、
前記環境条件の測定値を制御装置（２４）に送信するステップと、
前記測定値を前記制御装置（２４）を用いて評価し前記環境条件を変更する必要があるか否かを判断するステップと、
前記制御装置（２４）を用いて制御コマンドを生成し前記アクチュエータ（３４）に送信するステップと、
前記アクチュエータ（３４）を用い前記制御コマンドに基づいて前記環境条件を変更するステップとを含む、方法。
【請求項１５】
前記ケーブルコンジット（１０）は複数のセンサ（２０）を備え、前記制御装置（２４）は前記複数のセンサ（２０）から測定値を受信し、
前記測定値を評価することにより、前記ケーブルコンジット（１０）の欠陥の位置を判断する、請求項１４に記載の方法。
【発明の詳細な説明】
【技術分野】
【０００１】
発明の分野
本発明は、ケーブルコンジットおよびケーブルコンジット内の環境条件を適合させる方法に関する。
【背景技術】
【０００２】
発明の背景
電力および／またはデータを伝送するためのケーブルは、ケーブルコンジットと呼ばれることもある周囲のチューブによって保護されていることが多い。このようなケーブルコンジットの機能は、ケーブルをその周囲から機械的に保護すること、数本のケーブルを束ねること、簡単にクリーニングできること、電気的シールドの提供、接地、および／またはラベリングを含み得る。ケーブルコンジットは、気密封止されていてもよく、部分的に開かれていてもよく、または、すべての端部が開かれていてもよい。
【発明の概要】
【発明が解決しようとする課題】
【０００３】
いくつかの理由により、たとえば、故障の早期検出、メンテナンス間隔および／または内部雰囲気の能動的制御のために、このようなケーブルコンジットの内部条件を知ることが重要な場合がある。
【０００４】
ケーブルコンジットの内部条件が重要になる可能性があるのは、汚染のリスクおよび／または故障の早期検出等のいくつかの用途である。通常、ケーブルコンジットの内部条件は推定することしかできず、いかなる故障も防止するための唯一の方法は、水放出栓または定期的な高コストのメンテナンス、たとえばシステム全体の交換等の、単純な対応策である。
【０００５】
ＧＢ  ２  ４７５  ９１０  Ａには、誘導性接続を用いて現場でドリルホールを測定し制御するための方法および装置が記載されており、センサおよびアクチュエータパッケージを含む無線機器ユニットが配管部の外側に位置し、この無線機器ユニットは、ドリルホール導管の非磁性部分の内側の電磁トランシーバにより、誘導的に給電することができ、この電磁トランシーバは、装置に対する通信を制御するためにドリルホールインターフェイスユニットに装着された電線ロギングケーブルに設けられている。
【０００６】
ＷＯ  ２００７／０５１２３０  Ａ１には、治療のために加圧された気体を気体送達経路に沿って患者に供給する呼吸装置に使用する検知カフが記載されており、このカフは、気体送達経路と連通するようにされた導管部と、導管部に設けられた検知機構とを含む。検知機構は、使用時に、コンジット部を通過する気体の１つ以上の特徴を検知またはサンプリングし気体の特徴データを遠隔装置に無線送信するように構成されている。
【０００７】
ＤＥ  １０  ２００６  ０３６７２０  Ａ１には、情報を検出および保存するのに適した少なくとも１つの情報キャリアを有するパイプまたは容器の製造方法、ならびに、特にこの方法に従い製造されたパイプまたは容器が記載されている。
【０００８】
ＧＢ  ２  ４６６  ８６２  Ａには、現場でのドリルホール測定のための方法および装置が記載されており、無線センサユニットが非磁性筐体の外側にあり、センサ給電ユニットが筐体の内側にある。給電ユニットは、この筐体を通して無線で電力をセンサユニットに供給しセンサユニットと通信する。
【課題を解決するための手段】
【０００９】
発明の説明
本発明の目的は、安全性がより高く、メンテナンスがより簡単で、より適切に保護された、ケーブルコンジットを提供することである。
【００１０】
この目的は、独立請求項の主題によって達成される。さらに他の、具体例としての実施形態は、従属請求項および以下の説明から明らかである。
【００１１】
本発明のある局面は、ケーブルコンジットに関する。ケーブルコンジットは、内部の１本以上のケーブルを導くおよび／または保護するために使用される、任意の中空装置であってもよい。
【００１２】
本発明のある実施形態に従うと、ケーブルコンジットは、電力線、伝送線および／または光ファイバ線であってもよい、少なくとも１本のケーブルと、ケーブルを内部空間に収容するチューブと、チューブの内部空間内の環境条件を検知するためのセンサと、内部空間内の環境条件を、チューブの内部の雰囲気を能動的に制御することによって変更するためのアクチュエータとを備える。
【００１３】
ケーブルは、電力および／またはデータを伝送するために使用することができる。ケーブルは、プラスチックカバーに封入されていてもよい１本以上のワイヤを含み得る。
【００１４】
本発明のある実施形態に従うと、ケーブルは電力線である。ケーブルは、電力を、たとえばバッテリまたは発電機等の電源から、モータ、加熱器等の負荷に伝送するために使用することができる。ケーブル内の電圧は、センサおよび／またはアクチュエータの電源電圧よりも遥かに高い可能性がある。また、ケーブルは、データ通信信号を伝送するための伝送線の場合もある。さらに他の代替例として、ケーブルは、これもデータ通信信号を伝送するために使用できる光ファイバ線の場合もある。ケーブルコンジットは、その内部空間に複数のケーブルを収容することができ、これは、たとえば先に述べたタイプのような異なるタイプであってもよい。
【００１５】
チューブは、プラスチックで作られていてもよく、任意でその他の材料で作られていてもよい。これらの材料は、電気的および／または熱的分離等のために電磁場を遮蔽するようにされていてもよい。チューブは、押出成形された円筒であってもよく、および／または互いに装着されおよび／または差し込まれたいくつかの部分で構成されていてもよい。チューブの内部空間は長手方向に延びていてもよく、１本以上のケーブルを収容するために使用されてもよい。
【００１６】
内部空間には、センサで測定できる、温度および／または湿度等の特定の環境条件が存在する。センサは、温度センサおよび湿度センサのうちの少なくとも１つであってもよい。一般的に、センサは、温度、湿度、圧力、煙、導電性および／または振動等の、さまざまな物理的特性および／または環境条件を測定することができる。
【００１７】
ケーブルコンジットが、チューブの異なる場所における内部空間内の環境条件を検知するための２つ以上のセンサを含み得ることに、注意する必要がある。上記１つ以上のセンサは、チューブの内側および／または外側に組み込まれてもよい。ケーブルコンジットに沿う異なる場所における物理的特性をモニタリングすることは、チューブの内部における、水の侵入、凝縮、漏洩および／または過熱のような故障を検出する可能性を提供し得る。
【００１８】
たとえば、制御装置または制御システムは、１つ以上のセンサから測定値および／または測定データを収集することができ、これらを評価することにより、チューブの内部の環境条件を求めることができる。ケーブルコンジットの、より安全な動作は、早期故障検出を通して提供することができる。
【００１９】
しかしながら、センサが生成したデータをセンサに保存してから読取装置で読出すことも可能であろう。
【００２０】
本発明のある実施形態に従うと、ケーブルコンジットは、内部空間内の環境条件を変更するためのアクチュエータを含む。たとえば、アクチュエータは、通風機、加熱器、冷却器、フラップ等のうちの少なくとも１つであってもよい。
【００２１】
ケーブルコンジットが２つ以上のアクチュエータを含み得ることに注意する必要がある。複数のアクチュエータはケーブルコンジットの異なる場所に配置されてもよい。
【００２２】
１つ以上のアクチュエータを用いて、チューブの内部の雰囲気を能動的に制御することができる。上記制御装置または制御システムは、内部空間内の環境条件を判断することができ、環境条件をたとえば所望の通りに変更するようにアクチュエータを制御することができる。このようにして、能動的制御を採用することにより、上記故障を未然に防ぐことができる。そうすることで、ケーブルコンジットの寿命を延ばすことができ、および／またはメンテナンスの手間を減じることができる。
【００２３】
本発明のある実施形態に従うと、ケーブルコンジットは、センサから測定値および／または測定データを受信しアクチュエータに制御コマンドを送信するための制御装置をさらに含む。制御装置は、センサおよび／またはアクチュエータの一部であってもよい。センサおよびアクチュエータは、通信のために直接接続されてもよい。チューブの内部空間内の所望の環境条件を維持するために、１つ以上のセンサの測定に基づいて１つ以上のアクチュエータを制御することができる。
【００２４】
たとえば、超距離ゲートウェイ装置が、１つ以上のセンサから測定データを受信してもよく、この情報を、制御装置が接続されているローカルネットワークに、または、制御装置として機能し得るクラウドサーバに、送ってもよい。ＢＬＥ、ＬｏＲａ、ＧＳＭ（登録商標）、ＩＥＥＥ  ８０２．１５．４ｇ等の無線プロトコルを使用してもよい。同じ方法で、長距離ゲートウェイ装置は、制御装置から制御コマンドを受信することができ、これらの制御コマンドを１つ以上のアクチュエータに与えることができる。
【００２５】
本発明のある実施形態に従うと、センサは測定値を送信するための無線送信機を含み、および／またはアクチュエータは制御コマンドを受信するための無線受信機を含む。１つ以上のセンサは、無線または有線通信チャネルを介して、たとえばＢｌｕｅｔｏｏｔｈ（登録商標）を介して制御装置と通信することができる。１つ以上のアクチュエータは、無線または有線通信チャネルを介して、たとえばＢｌｕｅｔｏｏｔｈを介して制御装置と通信することができる。
【００２６】
本発明のある実施形態に従うと、センサは、ケーブルを介して測定値を送信するための電力線送信装置を含む。また、アクチュエータは、ケーブルを介して制御コマンドを受信するための電力線送信装置を含む。センサおよび／またはアクチュエータのデータ送信は、センサおよび／またはアクチュエータの電源線を介して行われてもよい。
【００２７】
一般的に、センサおよび／またはアクチュエータには、電力線からの電力が、バッテリまたはキャパシタ等のローカルなエネルギ蓄積装置から、および／またはソーラーパネル等のエネルギ収集装置から、供給される。
【００２８】
本発明のある実施形態に従うと、ケーブルコンジットは、センサおよび／またはアクチュエータに電気エネルギを供給するためのエネルギ収集装置をさらに含む。電気エネルギは、たとえば、環境光から、環境電磁場から、熱的な差から、運動および／または振動から、収集することができる。
【００２９】
エネルギ収集装置から与えられる電力は（たとえば昼間／夜間サイクルが原因で）不連続な場合がある。センサおよび／またはアクチュエータは、センサに対してローカルである（二次電池および／またはスーパーキャパシタ等の）エネルギバッファに、エネルギ収集装置から与えられた余剰電力を保存するようにされてもよい。エネルギ収集装置から与えられる電力が十分でない場合は保存したエネルギを使用してセンサおよび／またはアクチュエータに供給することができる。これに代えて、収集したエネルギがない場合は、一次ローカルバッテリを用いてセンサおよび／またはアクチュエータに給電してもよい。この場合、エネルギ収集装置は、このバッテリの寿命を延ばすものとみなすことができる。
【００３０】
本発明のある実施形態に従うと、センサは、電気エネルギをセンサに供給するため、および／または測定値を送信するための、ＲＦＩＤ（無線周波数識別）タグを含む。たとえば、検知機能を有する受動ＲＦＩＤタグをセンサとして使用することができる。このようなセンサは、能動的エネルギ供給を必要としない場合があり、および／または極めてコンパクトに設計することができる。
【００３１】
本発明のある実施形態に従うと、センサおよび／またはアクチュエータには、チューブに収容されたワイヤから電気エネルギが供給される。有線電源が、たとえば、チューブに埋め込むことができる２本のワイヤにより、ＡＣまたはＤＣ電力として提供されてもよい。
【００３２】
ワイヤは、チューブの材料に収容されてもよい。そうすると、センサおよび／またはアクチュエータを、適合させた機械的装置を介してこれらのワイヤに接続することができる。ＡＣ電力の場合、ワイヤの関連する電気的極性は重要ではないであろう。ＤＣ電力の場合、センサおよび／またはアクチュエータに対して正しい極性を与えるために注意が必要であろう。これは、異なる手段を通して、たとえば、正しいワイヤ接続を保証するワイヤの機械的接続により、および／またはどちらの極性でも動作するようにされたセンサおよび／またはアクチュエータにより、行うことができる。
【００３３】
センサおよび／またはアクチュエータの電源は、チューブの外側に設けられたワイヤおよび／または線により、提供することもできる。
【００３４】
本発明のある実施形態に従うと、センサおよび／またはアクチュエータには、ケーブルから電気エネルギが供給される。さらに他の代替例として、電源は、電送ケーブルであるケーブルによって与えられてもよい。たとえば、ケーブルは、栓が設けられていてもよく、および／または２つ以上のセンサおよび／またはアクチュエータに供給できる電源装置がケーブルに接続されてもよい。
【００３５】
アクチュエータをケーブルコンジットに装着する方法にはいくつかの可能性がある。一般的には、チューブに直接装着することができ、および／またはケーブルコンジットのその他の構成要素に、たとえばチューブと相互接続するための取付具に、および／またはチューブを分岐させるために使用されるＴ接続に、装着することができる。
【００３６】
本発明のある実施形態に従うと、ケーブルコンジットは、チューブの端部に装着された取付具をさらに含み、取付具はさらに他の取付具に接続するようにされ、アクチュエータはこの取付具に搭載される。たとえば、特別な取付具に、組み込まれた通風機等のアクチュエータを設けてもよい。
【００３７】
本発明のある実施形態に従うと、ケーブルコンジットは、チューブと相互接続されたＴ接続をさらに含み、ケーブルはＴ接続を通して導かれる。アクチュエータはＴ接続に搭載されてもよい。
【００３８】
たとえば、さらに他の装置および／または筐体を、Ｔ接続を介してチューブに装着してもよい。このさらに他の装置および／または筐体は、アクチュエータおよび／またはセンサを収容することができる。アクチュエータおよび／またはセンサは、このＴ接続を介してチューブの内部空間にアクセスすることができる。
【００３９】
本発明のある実施形態に従うと、アクチュエータはチューブに直接搭載される。さらに他の装置および／または筐体が、アクチュエータおよび／またはセンサを収容することができるチューブに装着されてもよい。上記さらに他の装置は、チューブの開口を覆っていてもよく、この開口を通してアクチュエータおよび／またはセンサはチューブの内部空間にアクセスすることができる。
【００４０】
本発明のある実施形態に従うと、センサは、測定データおよび／または測定値をチューブの外部に送信するための無線送信機を含む。センサは、チューブの内部に、すなわち内部空間に配置されていてもよく、または、内部空間に接続されたキャビティに配置されていてもよい。たとえば無線送信するようにされた無線送信機が、センサが収集した測定データをチューブの外部に送信してもよい。このようにすると、チューブの材料を通って延びるデータ線を設ける必要をなくすことができる。
【００４１】
本発明のある実施形態に従うと、センサはチューブの内部空間の中に配置される。センサは、ケーブルコンジットの内部に配置されることで、ケーブルコンジットの内部の雰囲気に直接コンタクトする。
【００４２】
たとえば、センサまたはセンサストリップを（たとえばコンジット製造中に）ケーブルコンジットに予め搭載してもよい。センサストリップは、ケーブルコンジットの一端から他端まで延びている数本（たとえば２〜３本）の電気的ワイヤを含み得る。センサストリップ上の規則的な位置に、検知素子を、各素子がストリップの各ワイヤに電気的に接続するように配置してもよい。各検知素子は、検知ストリップの電気的特徴に影響を与える可能性がある。たとえば、受動検知素子は、規則的に測定された湿度に応じて２本のワイヤ間の抵抗を変える場合がある。２本のワイヤ間の総合インピーダンスが全体の湿度を与える場合がある。これに代えて、能動検知素子が設けられてもよく、ワイヤを用いてセンサに応答してもよい。
【００４３】
本発明のある実施形態に従うと、センサは、チューブの内部空間と流体を交換するキャビティに配置される。このようなキャビティは、取付具、搭載された装置、Ｔ接続等の、チューブに接続されたさらに他の構成要素によって与えられてもよい。
【００４４】
本発明のある実施形態に従うと、ケーブルコンジットはチューブに装着されたセンサ装置をさらに含み、このセンサ装置はチューブの外側にキャビティを提供する。センサはキャビティの内部に配置することができる。チューブは、内部空間をセンサ装置のキャビティと相互接続するための開口を有していてもよい。
【００４５】
センサ装置は、ケーブルコンジットの外側から装着してもよい。センサは、場合によっては、ケーブルコンジットの外側に装着された気密センサ装置の中に配置されてもよい。センサ装置とチューブとの接触エリアに、センサ装置のキャビティとチューブの内部空間とを接続する開口があってもよい。
【００４６】
センサ装置は、後から装着されるものとして使用されるように設計されてもよく、このことは、１本以上のケーブルがケーブルコンジットに通された後に（たとえば、ケーブルコンジットの最終的な設置後に）センサ装置を設置できることを意味する。これにより、先験的情報ではなくケーブルコンジットの実際の配置に応じた戦略的な配置が可能になる。
【００４７】
本発明のある実施形態に従うと、センサ装置はチューブを囲んでいる。たとえば、センサ装置は、チューブを囲むように装着できるリングの形状の筐体を有していてもよい。
【００４８】
本発明のある実施形態に従うと、センサ装置は、チューブの延在方向に直交する方向においてチューブに搭載される少なくとも２つの部分を含む。リング形状の筐体を、これらの部分をチューブの上において接続することによりチューブに搭載してもよい。
【００４９】
本発明のある実施形態に従うと、センサ装置は、チューブの延在方向に直交する方向においてチューブに搭載するために可撓性である。たとえば、センサ装置は、弾性バンドに基づくものであってもよく、センサは、チューブに搭載されたバンドの面に設けてもよい。
【００５０】
センサ装置は、第１に、たとえば、既にコンジットに設置されている１本以上のケーブルに損傷を与えることなく正しい大きさの開口を作製できる適切な工具を用いて、先ずチューブに孔を開けることにより、チューブに搭載することができる。第２に、センサ装置の筐体を、開口の上部においてチューブに搭載することができる。たとえば、弾性バンドを、このバンドに設けられたセンサと開口とを位置合わせさせた状態で、チューブの周りに巻いてもよい。
【００５１】
本発明のある実施形態に従うと、センサ装置は、センサをチューブの外部と電気的に相互接続するための電気的相互接続を提供する。センサをケーブルコンジットの外部から接続する必要がある場合は、ケーブルコンジットの内部まで達する電気的相互接続を設ける必要がある。これらの相互接続は、分離し封止する必要があるであろうが、これはセンサ装置を用いて実現することができる。
【００５２】
本発明のある実施形態に従うと、ケーブルコンジットは、チューブの端部に装着された取付具をさらに含み、取付具は、さらに他の取付具に接続されるようにされている。ケーブルコンジットは、取付具と相互接続された２本以上のチューブで構成されていてもよく、これらの取付具はそれぞれのチューブの端部に差し込むことができる。相互に差し込むおよび／またはねじ込むことができる相補的な取付具を設けてもよい。
【００５３】
本発明のある実施形態に従うと、センサは取付具の内部に配置される。センサは、取付具に組み込まれてもよく、および／または取付具の内部空間に配置されてもよい。このようにして、取付具をチューブに搭載することにより、センサをケーブルコンジットに設けることができる。
【００５４】
本発明のある実施形態に従うと、ケーブルコンジットは、取付具とさらに他の取付具との間の相互接続を封止するための封止リングをさらに含み、封止リングは、センサをチューブの外部と電気的に相互接続するための電気的相互接続を含む。
【００５５】
センサの電気的相互接続は、２つの取付具の間の封止リングを通して導くことができる。センサは、ケーブルコンジットの内部において２つの取付具の間の封止リングの中に配置することができる。封止リングを通る電気的相互接続を、電力収集装置、バッテリ、データ記憶装置および／またはデータ送信装置等のさらに他の電子構成要素を装着することができるケーブルコンジットの外側に設けてもよい。
【００５６】
このような配置にすると、既存の設計をわずかに調節するだけで（たとえば電気的相互接続が導かれる取付具の隙間等）、後からセンサをケーブルコンジットに装着することができる。また、取付具が別々の２つの部分で構成されている場合および／または開放可能にされている場合にも、後からセンサを装着することができる。
【００５７】
本発明のある実施形態に従うと、取付具は、センサが配置されるキャビティを提供する。センサを配置するためのキャビティは、取付具に組み込むことができる。センサおよび任意で他の電子部品は、取付具の内部に設けられた１つ以上のキャビティの中に配置されてもよい。
【００５８】
本発明のある実施形態に従うと、ケーブルコンジットは、チューブと相互接続されたＴ接続をさらに含み、ケーブルはＴ接続を通して導かれる。Ｔ接続は、３本のチューブを相互に接続するようにされた、および／または２本のチューブを相互に接続しかつキャビティを有するさらに他の装置と相互に接続するようにされた構成要素であってもよい。
【００５９】
本発明のある実施形態に従うと、ケーブルコンジットはセンサ装置をさらに含み、このセンサ装置は、Ｔ接続に接続され、チューブの内部空間と流体を交換するセンサのためのキャビティを提供する。Ｔ接続は、センサおよび任意でその他の電気的構成要素を配置することができるセンサ装置に至るケーブルコンジットに装着することができる。これにより、ケーブルコンジット全体に干渉することなく、電子装置のために利用できるより大きな体積を、キャビティに与えることができる。
【００６０】
本発明のある実施形態に従うと、Ｔ接続は、チューブに接続された２つの部分を含み、ケーブルはこれら２つの部分の間に収容される。Ｔ接続は、チューブの延在方向に直交する方向においてチューブに搭載することができる。Ｔ接続をいくつかの部分に分割できる場合、Ｔ接続は、ケーブルを外さなくても後から装着することができる。
【００６１】
本発明のある実施形態に従うと、センサ装置は、チューブを介してＴ接続に接続される。このようにして、センサ装置はチューブからより遠隔の場所に配置することができる。
【００６２】
本発明のある実施形態に従うと、ケーブルコンジットは、チューブの外側に搭載されセンサに電気エネルギを供給するためのエネルギ収集装置をさらに含み、エネルギ収集装置は、電気的相互接続を介してセンサに接続される。たとえば、電気的相互接続は、２つの取付具の間の封止リングにより、または、センサを収容するチューブに設けられたセンサ装置により、与えることができる。
【００６３】
本発明のある実施形態に従うと、センサは、電気エネルギをセンサに供給するため、および／または測定値を送信するための、ＲＦＩＤ（無線周波数識別）タグを含む。この場合、遠隔からセンサに給電するためおよび／またはセンサからデータを読み出すために、ＲＦリーダー（または、たとえばサービス担当者が身に着けているモバイルリーダー）を使用してもよい。
【００６４】
本発明のさらに他の局面は、ケーブルコンジット内の環境条件を適合させる方法に関する。ケーブルコンジットは、先に述べたようにおよび以下で述べるように設計することができる。上記および下記の方法の特徴は、上記および下記のケーブルコンジットの特徴であってもよく、逆であってもよいことが、理解されねばならない。
【００６５】
本発明のある実施形態に従うと、方法は、内部空間内の環境条件をセンサを用いて検知するステップと、環境条件の測定値を制御装置に送信するステップと、測定値を制御装置を用いて評価し環境条件を変更する必要があるか否かを判断するステップと、制御装置を用いて制御コマンドを生成しアクチュエータに送信するステップと、アクチュエータを用い制御コマンドに基づいて環境条件を変更するステップとを含む。
【００６６】
ケーブルコンジットの経路に沿ってセンサ情報を有することにより、望ましくないいかなる環境条件も防止するために、アルゴリズムを用いてアクチュエータを制御することができる。
【００６７】
このような望ましくない環境条件は、ケーブルコンジットの内部および外部の温度および／または湿度に依存する凝縮である場合がある。凝縮は、制御された通風（たとえば気流方向の変更等）、チューブセグメントの部分的な加熱／冷却、能動的な乾燥および／または開放（任意で半透性膜を通したもの）により、減じることができる。
【００６８】
制御装置は、ケーブルコンジットが組み込まれた設備に設けられているネットワークシステムに組み込まれていてもよい。先に述べ下で述べるように、制御装置は、ケーブルコンジットの内部において、たとえば、取付具および／またはセンサ装置の内部において実現されてもよい。
【００６９】
本発明のある実施形態に従うと、ケーブルコンジットは複数のセンサを含み、制御装置はこれら複数のセンサから測定値を受信し、測定値を評価することにより、ケーブルコンジットの欠陥の位置を判断する。異なる場所にある複数のセンサの測定データを用いて、凝縮現象のような故障および異常状態を検出および／または予測することができる。
【００７０】
アクチュエータの能動的な制御と組み合わせることで、故障検出反応速度を高めてもよく、故障の検出感度を高めてもよく、および／または故障の場所をより適切に求めてもよい。
【００７１】
ローカルまたはクラウドアルゴリズムを用いることにより、センサが提供する測定データを解析することができ、また、ケーブルコンジットへの水の侵入等の故障の場合、または、起こり得る凝縮の危険等の異常挙動の場合、警告を与えることができる。
【００７２】
凝縮の場合、このアルゴリズムは、ケーブルコンジットの熱的モデルに基づいていてもよく、このモデルは、ケーブルコンジット内部の離散的に分布する温度および湿度、環境条件（コンジットの外部の温度および湿度等）を入力とする。このアルゴリズムはさらに、過去の環境条件に基づいて、たとえばモンテカルロシミュレーションを実行することで、潜在的な凝縮条件を予測することができる。
【００７３】
本発明の上記およびその他の局面は、以下で説明する実施形態から明らかでありこれらの実施形態の参照により解明されるであろう。
【００７４】
以下、本発明の主題を、添付の図面に示されている具体例としての実施形態を参照しながらより詳細に説明する。
【図面の簡単な説明】
【００７５】
【図１】本発明のある実施形態に係るケーブルコンジットを概略的に示す図である。
【図２】本発明のある実施形態に係るケーブルコンジットを概略的に示す図である。
【図３】本発明のある実施形態に係るケーブルコンジットを概略的に示す図である。
【図４】本発明のある実施形態に係るケーブルコンジットを概略的に示す図である。
【図５】本発明のある実施形態に係るケーブルコンジットを概略的に示す図である。
【図６】本発明のある実施形態に係るケーブルコンジット内の環境条件を適合させる方法を示す図である。
【図７】本発明のある実施形態に係るケーブルコンジットの一部の断面図を示す。
【図８】本発明のある実施形態に係るケーブルコンジットの一部の斜視図を示す。
【図９】図８のケーブルコンジットの一部の断面図を示す。
【図１０】本発明のある実施形態に係るケーブルコンジットの一部の斜視図を示す。
【図１１】図１０のケーブルコンジットの一部の断面図を示す。
【図１２】本発明のある実施形態に係るケーブルコンジットの一部の断面図を示す。
【図１３】本発明のある実施形態に係るケーブルコンジットの一部の断面図を示す。
【発明を実施するための形態】
【００７６】
図面で使用される参照符号およびその意味は、参照符号のリストにおいてまとめて列挙されている。図面では原則的に同一の部分には同一の参照符号が付されている。
【００７７】
具体例としての実施形態の詳細な説明
図１は、チューブ１２と２つの取付具１４とを含むケーブルコンジット１０を示し、２つの取付具はチューブ１２の端部に設けられている。数本のチューブ１２を取付具１４を介して相互に接続することで、より長いケーブルコンジット１０を形成することができる。取付具１４は、ケーブルコンジット１０を電気キャビネットに接続するために用いることもできる。
【００７８】
チューブ１２および取付具１４は内部空間１６を有し、ケーブル１８はこの内部空間を通して導かれる。複数のケーブル１８、たとえば電力線、電気データ伝送線、光ファイバ線等を内部空間１６に収容できることが理解されねばならない。
【００７９】
一方の取付具１４にセンサ２０が設けられ、このセンサは、ケーブル１８の内部空間１６内の環境条件を検知するようにされている。たとえば、センサ２０は、温度センサまたは湿度センサであってもよい。
【００８０】
図１に示されるように、センサ２０は、制御装置２４へのデータ伝送のための無線送信機／受信機２２を含み得るものであり、制御装置２４も、このような無線送信機／受信機２２を有し得る。センサ２０からの測定値は、制御装置２４に送信することができ、制御装置２４は、測定値を評価することができ、かつ、ケーブルコンジット１０内の環境条件、たとえば温度、湿度等を求めることができる。
【００８１】
図１に示されるように、センサ２０への給電は、センサ２０をバッテリまたは発電機等の電源２８に接続する電力線および／またはワイヤ２６によって行うことができる。また、電力線２６の少なくとも一部は、ケーブルコンジット１０を通して、特にチューブ１２および／または取付具１４を通して導くことができる。
【００８２】
電源２８は、ケーブル１８に接続されていてもよく、ケーブル１８内の電流をセンサ２０に直接供給できる電流に変換するようにされていてもよい。
【００８３】
図２は、センサ２０をチューブ１２に直接装着できることを示している。図２において、センサ２０は、センサ２０に電気エネルギを供給するための、ソーラーパネル等のエネルギ収集装置３０を含む。
【００８４】
図２において、センサ２０と制御装置２４との間のデータ伝送は、データ伝送ワイヤおよび／または線３２を介して有線で行ってもよい。線３２の少なくとも一部は、ケーブルコンジット１０を通して、特にチューブ１２および／または取付具１４を通して導くことができる。
【００８５】
図３は、３つのセンサ２０を備えたケーブルコンジット１０を示す。さらに、図３のケーブルコンジット１０は、内部空間１６内の環境条件を変更するためのアクチュエータ３４を含む。たとえば、アクチュエータ３４は、通風機、加熱器、冷却器、自動開閉可能なフラップ等である。一般的に、ケーブルコンジット１０は、異なる位置にある複数のセンサ２０および／または異なる場所にある複数のアクチュエータ３４を含み得る。
【００８６】
図３において、センサ２０のうちの２つは取付具１４に組み込まれている。アクチュエータ３４は、取付具１４のうちの１つに搭載されている。さらに、第３のセンサ２０はチューブ１２に直接装着されている。
【００８７】
図３において、センサ２０の各々は、ケーブル１８を介して測定値を送信するため、および／または制御装置２４にデータを伝送するための電力線送信装置３６を含む。
【００８８】
また、アクチュエータ３４も、ケーブル１８を介して制御コマンドを受信するため、および／または制御装置２４にデータを伝送するための、このような電力線送信装置３６を含み得る。これに代えて、アクチュエータ３４は、制御装置２４にデータを伝送するための無線送信機／受信機２２を含んでいてもよい。
【００８９】
図３において、センサ２０が組み込まれアクチュエータ３４が搭載されている取付具１４に、制御装置２４も組み込まれている。電力線送信装置３６は、制御装置２４に組み込まれていてもよい。制御装置２４は、センサ２０およびアクチュエータ３４との間で回線を介してデータ通信を実行することができる。取付具１４から離れているセンサ２０は、そのデータを、ケーブル１８を介して、その他のデータ伝送線を介して、および／または無線で送信することができる。
【００９０】
センサ２０および／またはアクチュエータ３４へのエネルギ供給は、図１および図２を参照して述べたように行うことができる。たとえば、アクチュエータ３４は、エネルギ収集装置、バッテリ、電源等によって給電することができる。
【００９１】
図４は、チューブ１２と相互接続されているＴ接続３８を示す。ケーブル１８も、Ｔ接続３８を通して導かれる。センサおよび／またはアクチュエータ装置４０、たとえばセンサおよび／またはアクチュエータボックスが、Ｔ接続３８に搭載されている。この装置４０はセンサ２０および／またはアクチュエータ３４を収容することができる。
【００９２】
図５は、アクチュエータ３４をチューブ１２に直接搭載できることを示している。すべてのセンサ２０およびアクチュエータ３４は、無線送信機／受信機２２を介して制御装置２４と通信することができ、制御装置２４は、ケーブルコンジット１０内の環境条件を、センサ２０の測定データから求めることができ、この環境条件を、アクチュエータ３４を介して変更することができる。
【００９３】
図１〜図５に示されるように、電源、データ伝送の種類および／またはケーブルコンジット１０内におけるセンサ２０およびアクチュエータ３４の場所を、相互に交換してもよくおよび／または組み合わせてもよいことに、注意する必要がある。たとえば、センサ２０および／またはアクチュエータ３４のうちのいくつかには線２６を介して給電し、その他のセンサ２０および／またはアクチュエータにはエネルギ収集装置３０によって給電することが可能であろう。さらに、センサ２０および／またはアクチュエータ３４のうちのいくつかが有線でデータ伝送を、その他のセンサ２０および／またはアクチュエータ３４が無線でデータ伝送を実行すること等も可能である。
【００９４】
図６は、たとえば図１〜図５等に示されるケーブルコンジット１０内の環境条件を適合させる方法を示す。
【００９５】
ステップＳ１０において、センサ２０は、内部空間１６内の温度、湿度等の環境条件を検知し、測定データを制御装置２４に送信する。制御装置２４は、ケーブルコンジットが採用されている設備の制御および／またはネットワークシステムの一部であってもよい。制御装置２４は、センサ２０および／またはアクチュエータ３４にインターネットを介して接続されたおよび／または任意でゲートウェイを介して接続されたサーバであってもよい。
【００９６】
ステップＳ１２において、制御装置２４は、測定データから、ケーブルコンジット１０内の環境条件を求める。
【００９７】
環境条件は、ケーブルコンジット１２の異なる部分について求めてもよい。
測定データを評価することにより、ケーブルコンジット１０の欠陥の場所を判断することもできる。環境条件と所望の環境条件との相違がしきい値を上回っているケーブルコンジット１０の部分を欠陥部分と判断することができる。たとえば、温度が高すぎるまたは湿度が高すぎる部分には、熱い空気および／または湯が内部空間１６に入ることができる孔がある場合がある。
【００９８】
ステップＳ１４において、制御装置２４は、環境条件を変更する必要があるか否かを判断する。これは、温度および／または湿度等の環境条件がしきい値よりも高いおよび／または低い場合に起こり得る。
【００９９】
制御装置２４は、特定の部分において環境条件を変更する必要があるか否かを判断することができ、使用できるアクチュエータ３４を決定することができ、制御コマンドをこれらのアクチュエータ３４に送信することができる。
【０１００】
ステップ１６において、制御コマンドを受けた１つ以上のアクチュエータ３４は、環境条件を変更する。たとえば、冷却器は、ケーブルコンジット１０内の空気を冷却することができ、および／または通風機は、湿度がより低いおよび／または温度がより低い風をケーブルコンジット１０内に送ることができる。
【０１０１】
図４および図５は、ケーブルコンジット１０内の空気の流れを異なる方向にすることができることを示している。流れの方向は、環境条件の所望の変更に応じて選択すればよい。たとえば、冷却器の空気を、ケーブルコンジット１０の一端から、空気の温度がより高い端部に送ってもよく、その逆であってもよい。
【０１０２】
続く図７〜図１３は、ケーブルコンジット１０の一部の実施形態、ならびに、如何にしてセンサ２０および／またはアクチュエータ３４をケーブルコンジット１０に組み込むことができるかを、示す。
【０１０３】
図７は、ケーブルコンジット１０を、一体であるおよび／または丸い断面を有するチューブ１２とともに示す。その他の種類のチューブ１２、すなわち２つ以上の部分で構成されたおよび／またはその他の形状のチューブを使用することもできる。さらに、チューブ１２の内部空間１６に収容されたケーブル１８が概略的に示されている。以下の図面ではケーブル１８は省略されている。
【０１０４】
内部空間１６内の環境条件を検知するためのセンサ２０がチューブ１２内に設けられている。センサ２０は、チューブ１２の材料に組み込むことができるまたはチューブ１２内に置くことができるセンサストリップであってもよい。
【０１０５】
センサ２０は、測定データをチューブ１２の外部に送信するための無線送信機／受信機２２を含む。チューブ１２は、プラスチック製であってもよく、および／または無線信号を通すものであってもよい。
【０１０６】
図８および図９は、センサ装置２０がチューブ１２に直接搭載されている他の実施形態を示す。センサ装置４２は、チューブを囲んでおり、および／またはチューブ１２の延在方向に直交する方向においてチューブ１２に搭載されている少なくとも２つの部分４４を含み得る。言い換えると、センサ装置４２は、ケーブル１８がチューブ１２内に設置された後におよび／または取付具１４がチューブ１２に装着された後に、チューブ１２に搭載されてもよい。
【０１０７】
また、センサ装置４２は可撓性であってもよい。たとえば、センサ装置４２は、ゴム製であってもよく、および／またはチューブ１２の上から搭載するためのスリットを有していてもよい。
【０１０８】
センサ装置４２は、チューブ１２の内部空間１６の外部に配置されチューブ１２の内部空間１６と流体を交換するキャビティ４６を有する。チューブ１２は、内部空間１６をセンサ装置４２のキャビティ４６と相互接続するための開口４８を有する。このような開口４８は、ケーブル１８をチューブ１２内に設置した後に、センサ装置４２をチューブ１２上に後から装着するために作られてもよい。
【０１０９】
センサ２０はキャビティ４６の内側に位置する。センサ装置４２はさらに、センサ２０をチューブ１２の外部と電気的に相互接続するための電気的相互接続５０を提供することができる。電気的相互接続５０は、数個以上の導体を含み得るものであり、これらの導体は、キャビティ４６からセンサ装置４２の外部まで延在する。たとえば、電気的相互接続５０は、センサ装置４２の筐体の内部に配置されてもよい。
【０１１０】
図１０および図１１は、センサ２０が取付具１４に組み込まれているまたは少なくとも取付具１４の内部に配置されている他の実施形態を示す。取付具１４は、チューブ１２の端部に装着され、他の取付具５２に接続される。取付具１４、５２は、互いに差し込むおよび／またはねじ込むことができ、および／または、取付具１４、５２の間の相互接続を封止するための封止リング５４をこれらの間に設けてもよい。また、取付具１４は、他の取付具５２をねじ込むねじ山５８を有していてもよい。
【０１１１】
センサ２０は、取付具１４の内部に配置され、チューブ１２の外部のエネルギ収集装置３０等の電気的構成要素に封止リング５４を介して接続されている。封止リング５４は、封止リング５４の材料に設けられた電線またはワイヤであってもよい電気的相互接続５０を含む。
【０１１２】
ねじ山５８は、電気的相互接続５０を導くための開口または隙間を有していてもよい。
また、センサ２０は、チューブ１２の内部空間１６の中に配置されチューブ１２の外部のエネルギ収集装置３０等の構成要素に電気的相互接続５０を介して接続されてもよい。
【０１１３】
図１２は、センサおよび／またはアクチュエータ装置４０がＴ接続３８を介して接続されているケーブルコンジット１０を示す。Ｔ接続３８は、チューブ１２と相互接続され、ケーブル１８はＴ接続３８を通して導かれる。Ｔ接続３８は２つの部分６０を含み得るものであり、これらの２つの部分は、ケーブル１８がこれらの間に収容されるように、および／またはケーブル１８を取り外さずにＴ接続３８を後からチューブ１２に装着できるように、チューブ１２に接続される。
【０１１４】
センサおよび／またはアクチュエータ装置４０は、チューブ６２を介してＴ接続３８に接続され、チューブ１２の内部空間１６と流体を交換するキャビティ４６を提供する。キャビティの中にセンサ２０および／またはアクチュエータ３４を設けることができる。
【０１１５】
図１３は、電気キャビネット等の他の装置の筐体６４に取付具１４を介して接続されるチューブ１２を含むケーブルコンジット１０を示す。取付具１４の各々は、センサ２０を配置できるキャビティ４６を提供する。ケーブルコンジット１０にセンサ２０を後から装着するために、センサ２０がない取付具を、センサが組み込まれた取付具１４と置き換えてもよい。
【０１１６】
図１〜図５に関して述べた電源およびデータ伝送の種類は図６〜図１３に示される実施形態にも適用できることに注意する必要がある。
【０１１７】
本発明を図面および先の記載において詳細に例示し説明してきたが、このような例示および説明は例証または具体例を示すものであって限定ではないと解釈されねばならず、本発明は開示されている実施形態に限定されない。開示されている実施形態のその他の変形は当業者による理解および実施が可能であり、クレームされている発明は、図面、本開示、および添付の請求項の検討を通して実施される。請求項において、「comprising（備える／含む）」という単語はその他の要素またはステップを除外するものではなく、不定冠詞「a」または「an」は複数を除外するものではない。１つのプロセッサまたはコントローラまたはその他のユニットは、請求項に記載のいくつかのアイテムの機能を果たし得るものである。単に特定の方策が互いに異なる従属請求項に記載されているからといって、これらの方策を組み合わせて有利に使用できないことを示す訳ではない。請求項におけるいかなる参照符号も範囲を限定すると解釈されてはならない。
【符号の説明】
【０１１８】
参照符号のリスト
１０  ケーブルコンジット
１２  チューブ
１４  取付具
１６  内部空間
１８  ケーブル
２０  センサ
２２  無線送信機／受信機
２４  制御装置
２６  電力線
２８  電源
３０  エネルギ収集装置
３２  データ伝送線
３４  アクチュエータ
３６  電力線送信装置
３８  Ｔ接続
４０  センサおよび／またはアクチュエータ装置
４２  センサ装置
４４  センサ装置の部分
４６  キャビティ
４８  開口
５０  電気的相互接続
５２  他の取付具
５４  封止リング
５８  ねじ山
６０  Ｔ接続の部分
６２  チューブ
６４  筐体
【図１】
2022500982.tif 000003
【図２】
2022500982.tif 000004
【図３】
2022500982.tif 000005
【図４】
2022500982.tif 000006
【図５】
2022500982.tif 000007
【図６】
2022500982.tif 000008
【図７】
2022500982.tif 000009
【図８】
2022500982.tif 000010
【図９】
2022500982.tif 000011
【図１０】
2022500982.tif 000012
【図１１】
2022500982.tif 000013
【図１２】
2022500982.tif 000014
【図１３】
2022500982.tif 000015
【国際調査報告】
2022500982.tif 000016
2022500982.tif 000017